(57)【特許請求の範囲】
【請求項１】
緩衝機能性フィルムを緩衝材として用いて物品を衝撃から保護する身と蓋とからなる身蓋箱形状で、前記身は、底板周辺の側板に連接された折り返し板を内側に折り畳んで形成された２重の側壁を有する身本体と前記緩衝機能性フィルムが中央の打抜部に窓貼りされた中枠板の４辺に側板と係止板が順に連接されている身用中枠とからなり、前記身用中枠の前記側板を下方に折り返し、次いで前記係止板を前記側板の外側に沿って折り畳んだ状態で前記身本体の前記底板まで押し込むことによって、前記折り返し板と前記係止板の先端同志を係合してなり、前記蓋は、天板周辺の側板に連接された折り返し板を内側に折り畳んで形成された２重の側壁を有する蓋本体と前記緩衝機能性フィルムが中央の打抜部に窓貼りされた中枠板の４辺に側板と折り返し片が順に連接されている蓋用中枠からなり、前記蓋用中枠の前記側板を上方に折り返し、次いで前記折り返し片を内側に折り返した状態で前記蓋本体の前記天板まで押し込むことによって、前記折り返し片の折り返し時に外側に向けて形成された突出片と前記折り返し板の先端同志を係合してなり、それぞれ前記中枠板の打抜部周辺に前記緩衝機能性フィルムが貼着された前記中枠がそれぞれ前記身と前記蓋の中段に固定され、前記蓋を前記身に被せることにより対向する２枚の前記緩衝機能性フィルムによって物品が上下から挟み込まれ中吊り状態で保持されることを特徴とする緩衝機能付き包装体。
【発明の詳細な説明】
【０００１】
【発明の属する技術分野】
本発明は、電子機器、精密機器、ガラス、陶磁器製品等を物流あるいは持ち運び中の衝撃から保護する通い箱として使用する緩衝機能性のある包装体に関する。
【０００２】
【従来の技術】
従来から、電子機器、精密機器、ガラス、陶磁器製品等の物品に対して物流時に物品が受ける衝撃から物品を保護するために包装材自体に緩衝機能のある段ボールを使用するばかりか、物品と段ボールとの間に発泡性プラスチック、パルプモールド製品等種々の緩衝材が使用されている。
【０００３】
【発明が解決しようとする課題】
しかしながら、物品の形状に応じて成形された発泡性プラスチックやパルプモールド製品等の緩衝材を使用することは、物品の包装に手間がかかるばかりか、他物品に対して流用がきかず、緩衝材のストックスペースを必要としたり、使用後の廃棄や処理が容易でないという問題がある。
本発明は、前述の問題点に鑑みてなされたもので、大きな衝撃を吸収でき、多種の物品に汎用的に使用することができ、包装の作業性が極めて容易であって、通い箱として繰り返し使用することができる緩衝機能性のある包装体の提供を目的とする。
【０００４】
【課題を解決するための手段】
前記課題を解決するために本発明による緩衝機能付き包装体は、緩衝機能性フィルムを緩衝材として用いて物品を衝撃から保護する身と蓋とからなる身蓋箱形状で、前記身は、底板周辺の側板に連接された折り返し板を内側に折り畳んで形成された２重の側壁を有する身本体と前記緩衝機能性フィルムが中央の打抜部に窓貼りされた中枠板の４辺に側板と係止板が順に連接されている身用中枠とからなり、前記身用中枠の前記側板を下方に折り返し、次いで前記係止板を前記側板の外側に沿って折り畳んだ状態で前記身本体の前記底板まで押し込むことによって、前記折り返し板と前記係止板の先端同志を係合してなり、前記蓋は、天板周辺の側板に連接された折り返し板を内側に折り畳んで形成された２重の側壁を有する蓋本体と前記緩衝機能性フィルムが中央の打抜部に窓貼りされた中枠板の４辺に側板と折り返し片が順に連接されている蓋用中枠からなり、前記蓋用中枠の前記側板を上方に折り返し、次いで前記折り返し片を内側に折り返した状態で前記蓋本体の前記天板まで押し込むことによって、前記折り返し片の折り返し時に外側に向けて形成された突出片と前記折り返し板の先端同志を係合してなり、それぞれ前記中枠板の打抜部周辺に前記緩衝機能性フィルムが貼着された前記中枠がそれぞれ前記身と前記蓋の中段に固定され、前記蓋を前記身に被せることにより対向する２枚の前記緩衝機能性フィルムによって物品が上下から挟み込まれ中吊り状態で保持されることを構成とする。
【０００５】
【発明の実施の形態】
以下，本発明を図面を用いてさらに詳しく説明する。
本発明による緩衝機能付き包装体は、身と蓋が印籠のようにスライド式嵌合によって一体となる所謂身蓋箱であるため以下身と蓋のそれぞれについて説明する。
図１は、本発明による緩衝機能付き包装体の身の方のカートンブランク展開図である。
図１（ａ）は、身本体のカートンブランク１０である。身本体のカートンブランク１０は、底板１の４辺に折線ａを介して側板２を連接し、さらにその方向に１８０°折り畳み可能な広幅な折線ｂを介して折り返し板３を延設してなるものである。なお、長手方向の側板２の両端には糊代片４が設けられている。また、カートンブランク素材によってはこの糊代片と側板に鳩目による組立用の貫通孔５が穿孔されている。
図１（ｂ）は、身用中枠のカートンブランク１０’である。身用中枠のカートンブランク１０’は、中枠板６の４辺に折線ｃを介して側板７を、さらに広幅な折線ｄを介して係止板８を延設し、中央に打抜部Ｕが設けられ、その周辺には緩衝機能性フィルムＦがドットで示す接着領域Ｓにおいて接着されている。
【０００６】
図２は、本発明による緩衝機能付き包装体の蓋の方のカートンブランク展開図である。
図２（ａ）は、蓋本体のカートンブランク２０である。蓋本体のカートンブランク２０は、天板１１の４辺に折線ｅを介して側板１２を連接し、さらにその方向に広幅な折線ｆを介して折り返し板１３を延設してなるものである。なお、長手方向の側板１２の両端には糊代片１４が設けられている。また、カートンブランク素材によってはこの糊代片と側板に鳩目による組立用の貫通孔１５が穿孔されている。
図２（ｂ）は、蓋用中枠のカートンブランク２０’である。蓋用中枠のカートンブランク２０’は、中枠板１６の周辺に折線ｇを介して側板１７を連接し、さらにその方向に折線ｈを介して折り返し板１８を延設し、中央に打抜部Ｕが設けられ、その周辺には緩衝機能性フィルムＦがドットで示す接着領域Ｓにおいて接着されている。
また、側板１７側に、折線ｈによって折り返し板１８を折り返すと突出する突出片１９が切れ目線ｋによって形成されている。
【０００７】
図３は、本発明による緩衝機能付き包装体の身と蓋の組立図及び使用説明図である。
図３（ａ）は、身３０の方の組立図であって、緩衝機能性フィルムＦによって窓貼りされた中枠板６は、身本体の側板２の略中間のレベルにおいて固定されている。
また図３（ｂ）は、蓋４０の組立図であって、身３０の方と同じように中枠板１６は側板１２の略中間のレベルにおいて固定されている。
身３０と蓋４０を内側から見た場合の外観上の違いは、蓋４０は被せ蓋であるため身３０に較べて一回り大きく成形されていることと、また蓋４０の中枠板１６の周辺には身３０の側板２と折り返し板３とからなる２重の側壁が挿嵌できる間隙Ｄが形成されていることである。
【０００８】
次に、身３０と蓋４０の成形について説明する。
身３０は次の手順で成形される。
先ず、身本体のカートンブランク１０の底板１周辺の４枚の側板２と糊代片４をそれぞれ９０°折り返し、糊代片４とそれが対向する側板２の部分を強接着するか、あるいは貫通孔５によって鳩目のかしめ作業を行ってトレイ状に成形し、折り返し板３を折線ｂによって１８０°内側に折り返しておく。実際は折線ｂにおけるブランク素材に反復によって、内側に折れ曲がった状態になっている。
次いで、身用中枠のカートンブランク１０’の側板７を下側に９０°折り返し、また係止板８を側板７の外側に沿って１８０°折り畳んだ状態で、前述の組立られた身本体の底板１に至るまで押し込むと、折り返し板３と係止板８とがともに摺動し合いながら最深部に至り、それぞれの復元力が作用して、返し板３と係止板８の先端同志が係合し、身用中枠が身本体に固定されて一体となった身３０が形成される。
この係合の模様は、図４の本発明による緩衝機能付き包装体の中央縦断面図を参照されたい。
このような成形はユーザー側で行うことが好ましい。
一方、蓋４０、の方も蓋本体については、前述と同様な手順で組立ることができるので省力するが、蓋用中枠の成形については、蓋用中枠のカートンブランク２０’における、側板１７を上方に折り返し、さらに折り返し片１８を内側に折り返して、折り返し片１８から外側に突起片１９が形成された状態で、あらかじめ成形された蓋本体に押し込むと天板１１に至り、突出片１９と折り返し板１３の先端同志が係合し蓋用中枠が蓋本体に固定され、一体となった蓋４０が形成される。この係合の模様は、図４の本発明による緩衝機能付き包装体の中央縦断面図を参照されたい。
【０００９】
また、図３は本発明による緩衝機能付き包装体の使用説明図でもあって、本発明による緩衝機能付き包装体の使用は、図３（ａ）に示すように、身３０と蓋４０とが前述のようにそれぞれ成形されて別々に充填ラインに供給され、身３０の方の緩衝機能性フィルムＦの略中央に物品Ａを載置し、その上から蓋４０を被せて、いわゆる身蓋箱のようにスライド嵌合させればよい。また、載置する物品は複数であってもよく、互いに適当な間隔を置いて載置できれば問題はない。
蓋４０は、完全に嵌合させた位置から緩衝機能性フィルムＦの反発力によって開こうとする力が加わるため、図示はされていないが嵌合された身蓋箱全体をゴムバンドで囲うか、別途用意した筒状スリーブを被せる等の手段で蓋４０の戻りを防ぐ必要がある。
従って、本発明による緩衝機能付き包装体による包装作業は、身３０の方に物品Ａを搭載する操作と、蓋４０を被せる操作と、身蓋を深く嵌合させた状態でゴムバンドをかける等の作業からなる単純作業で済むので、従来の緩衝包装の緩衝材を物品に合わせて装填する煩わしさがなくなる。
また、身３０、蓋４０とが別れていることで、これらが一体になっている段ボール等の場合に較べ包装の作業性は却って良くなる。
【００１０】
図４は、本発明による緩衝機能付き包装体の機能説明図である。
図４は、物品が収納された本発明による緩衝機能付き包装体５０の中央縦断面図である。
本発明による緩衝機能付き包装体５０の内部構造は、図４によって示すように、２枚の緩衝機能性フィルムＦが物品を上下から挟み込んで物品Ａを中吊りの状態とするものである。また軽量な物品で緩衝機能性フィルムＦとのスベリが少なければ横位置にしてもよい。
このような状態を実現可能にするのは、これら２枚の緩衝機能性フィルムＦが身３０、蓋４０内でその略中段に固定された中枠板６、１６の打抜部Ｕ周辺にしっかり貼着されているためである。
従来の緩衝材を使用する場合、外形が、曲面あるいは球面に近い物品では、固定しにくかったが、本発明による緩衝機能付き包装体５０によれば、物品の外形による包装の難しさが解消する。
【００１１】
緩衝機能性フィルムＦには、引張弾性が大きく、且つ引張強さのあるプラスチック素材が好適に使用される。また、適度な粘着性のあるほうが好ましい。
緩衝機能性フィルムＦの物性は、物品の重量、物品の接触部分の形状、許されるコスト範囲等を勘案して適宜最適の物性を有するものを選択して用いることが必要である。
素材的には、ポリオレフィン系樹脂が一般的であるが、重量のある物品には、ポリウレタンエラストマー等のフィルムが好適に使用可能である。
身本体、蓋本体そして、両方の中枠のカートンブランクの素材については、繰り返し使用が前提となるので、合紙、プレスボード、バルカナイズドファイバーボード等の強度があり、耐汚染性に優れたものが好ましい。無論、反復使用の回数が少なくてよい場合には通常の板紙、段ボールでも耐磨耗性のあるオーバーコートを施した程度のもので充分使用することができる。
当然なことではあるが、これらの素材は、対象とする物品の大きさ、形状（特に緩衝機能性フィルムＦとの接触部分）、重さ、経済コスト等を勘案して選択されなければならない。
【発明の効果】
本発明によれば、身蓋箱の身と蓋の双方の中段に固定された中枠板の打抜部周辺に貼着された２枚の緩衝機能性フィルムＦにより物品を中吊り状態に保持することによって、比較的大きな衝撃から物品を保護することができ、幅広いサイズ、形状の物品に対応できる汎用性を持たせることができ、身と蓋が別々に供給されることによって包装の作業性を改善させることができる。
また、繰り返し使用ができるので一回あたりのコストを低減させることができ、通常の緩衝材による環境の汚染、廃棄の煩わしさは解消する。
【図面の簡単な説明】
【図１】本発明による緩衝機能付き包装体の身の方のカートンブランク展開図
【図２】本発明による緩衝機能付き包装体の蓋の方のカートンブランク展開図
【図３】本発明による緩衝機能付き包装体の身と蓋の組立図及び使用説明図
【図４】本発明による緩衝機能付き包装体の機能説明図
【符号の説明】
１  底板
２  側板
３  折り返し片
４  糊代片
５  貫通孔
６  中枠板
７  側板
８  係止板
１０  本発明による緩衝機能付き包装体の身本体のカートンブランク展開図
１０’本発明による緩衝機能付き包装体の身用中枠のカートンブランク展開図
１１  天板
１２  側板
１３  折り返し板
１４  糊代片
１５  貫通孔
１６  中枠板
１７  側板
１８  折り返し片
１９  突出片
２０  本発明による緩衝機能付き包装体の蓋本体のカートンブランク展開図
２０’本発明による緩衝機能付き包装体の蓋用中枠のカートンブランク展開図
３０  本発明による緩衝機能付き包装体の身
４０  本発明による緩衝機能付き包装体の蓋
５０  本発明による緩衝機能付き包装体
ａ〜ｈ  折線
ｋ  切れ目線
Ｄ  間隙
Ｆ  緩衝機能性フィルム
Ｈ  鳩目
Ｓ  接着領域
Ｕ  打抜部
【図１】
0003998804.tif 000002
【図２】
0003998804.tif 000003
【図３】
0003998804.tif 000004
【図４】
0003998804.tif 000005